(57)【要約】【課題】基地局が複数の周波数チャネルを利用して通信を行うことができる場合において、基地局と移動局とが適切な周波数チャネルで速やかに通信することができる無線通信システムを提供する。【解決手段】基地局装置と移動局装置とを備える無線通信システムであって、基地局装置のチャネル関連情報書き込み部は、移動局装置から同期信号を受信した際に、同期信号の受信周波数を示す周波数チャネル情報と移動局装置を識別する移動局識別情報と、同期信号を受信した基地局を識別する基地局識別情報を含むチャネル関連情報を、直接または他の装置を介して記憶部に記録する。【選択図】図１
2014195212.tif 000002
【特許請求の範囲】
【請求項１】
基地局装置と移動局装置とを備える無線通信システムであって、前記基地局装置は、前記移動局装置から同期信号を受信した際に、前記同期信号の受信周波数に対応する周波数チャネル情報と、前記移動局装置を識別する移動局識別情報と、前記基地局装置を識別する基地局識別情報を少なくとも含むチャネル関連情報を、直接または他の装置を介して記憶部に記録するチャネル関連情報書き込み部
を備えることを特徴とする無線通信システム。
【請求項２】
前記移動局装置は、電源を投入したとき、または前記同期信号の周波数チャネルを変更したとき、または通信先の基地局装置を変更したとき、または前記同期信号を送信してから所定時間が経過したとき、または前記同期信号を送信してから所定距離を移動したときの、少なくとも何れか１つまたは複数のタイミングにおいて、基地局チャネル登録要求信号として前記同期信号を基地局装置に送信する登録要求信号送信部
を備える特徴とする請求項１に記載の無線通信システム。
【請求項３】
前記移動局装置は、音声通信またはデータ通信の少なくとも何れか一方を行う際に送信する同期信号を識別する第一同期信号識別子を当該同期信号に付加し、基地局チャネル登録要求信号として送信する同期信号を識別する第二同期信号識別子を当該同期信号に付加する同期信号識別子付加部
を備えることを特徴とする請求項１または請求項２に記載の無線通信システム。
【請求項４】
前記基地局装置は、前記基地局チャネル登録要求信号を受信した際に、当該受信した基地局チャネル登録要求信号に対して折り返し信号を出力する基地局折り返し通信を行わない
ことを特徴とする請求項３に記載の無線通信システム。
【請求項５】
前記基地局装置と前記移動局装置と送信基地局チャネル選択装置とを備える無線通信システムであって、
前記送信基地局チャネル選択装置は、
入力された通信先の移動局を示す通信先移動局識別情報に応じて、前記記憶部から、前記通信先移動局識別情報に対応する、前記周波数チャネル情報と前記基地局識別情報とを取得する送信基地局チャネル情報取得部と、
当該送信基地局チャネル情報取得部の取得した前記周波数チャネル情報を、当該送信基地局チャネル情報取得部の取得した前記基地局識別情報に対応する前記基地局装置に出力する送信基地局チャネル情報送信部と、
を備えることを特徴とする請求項１から請求項４の何れか一項に記載の無線通信システム。
【請求項６】
ＳＣＰＣ（Ｓｉｎｇｌｅ−Ｃｈａｎｎｅｌ  Ｐｅｒ  Ｃａｒｒｉｅｒ）方式の通信を行い、
前記移動局装置の送信基地局チャネル情報送信部は、前記同期信号としてＳＣＰＣの同期バースト信号を使用し、前記移動局識別情報を前記同期バースト信号のフォーマットを使用して送信する
ことを特徴とする請求項１から請求項５の何れか一項に記載の通信システム。
【請求項７】
移動局装置から同期信号を受信した際に、前記同期信号の受信周波数に対応する周波数チャネル情報と、前記移動局装置を識別する移動局識別情報と、基地局装置を識別する基地局識別情報を少なくとも含むチャネル関連情報を、直接または他の装置を介して記憶部に記録するチャネル関連情報書き込み部
を備えることを特徴とする基地局装置。
【請求項８】
電源を投入したとき、周波数チャネルを変更したとき、通信先の基地局装置を変更したとき、同期信号を送信してから所定時間が経過したとき、前記同期信号を送信してから所定距離を移動したときの、少なくとも何れか１つを含むタイミングにおいて、基地局チャネル登録要求信号として前記同期信号を基地局装置に送信する登録要求信号送信部
を備える特徴とする移動局装置。
【請求項９】
入力された通信先移動局識別情報に応じて、記憶部から、少なくとも周波数チャネル情報と基地局識別情報とを取得する送信基地局チャネル情報取得部と、
当該送信基地局チャネル情報取得部の取得した前記基地局識別情報に対応する基地局装置に、前記周波数チャネル情報を出力する送信基地局チャネル情報送信部と、
を備えることを特徴とする送信基地局チャネル選択装置。
【請求項１０】
移動局装置から同期信号を受信した際に、前記同期信号の受信周波数に対応する周波数チャネル情報と、前記移動局装置を識別する移動局識別情報と、基地局装置を識別する基地局識別情報を少なくとも含むチャネル関連情報を、直接または他の装置を介して記憶部に記録する
ことを特徴とする通信制御方法。
【請求項１１】
電源を投入したとき、周波数チャネルを変更したとき、通信先の基地局装置を変更したとき、同期信号を送信してから所定時間が経過したとき、前記同期信号を送信してから所定距離を移動したときの、少なくとも何れか１つを含むタイミングにおいて、基地局チャネル登録要求信号として前記同期信号を基地局装置に送信する
ことを特徴とする通信制御方法。
【請求項１２】
入力された通信先移動局識別情報に応じて、記憶部から、少なくとも周波数チャネル情報と基地局識別情報とを取得し、
当該取得した前記基地局識別情報に対応する基地局装置に、前記周波数チャネル情報を出力する、
ことを特徴とする通信制御方法。
【請求項１３】
基地局装置のコンピュータを、
移動局装置から同期信号を受信した際に、前記同期信号の受信周波数に対応する周波数チャネル情報と、前記移動局装置を識別する移動局識別情報と、基地局装置を識別する基地局識別情報を少なくとも含むチャネル関連情報を、直接または他の装置を介して記憶部に記録するチャネル関連情報書き込み手段
として機能させことを特徴とするプログラム。
【請求項１４】
移動局装置のコンピュータを、
電源を投入したとき、周波数チャネルを変更したとき、通信先の基地局装置を変更したとき、同期信号を送信してから所定時間が経過したとき、前記同期信号を送信してから所定距離を移動したときの、少なくとも何れか１つを含むタイミングにおいて、基地局チャネル登録要求信号として前記同期信号を基地局装置に送信する登録要求信号送信手段
として機能させことを特徴とするプログラム。
【請求項１５】
送信基地局チャネル選択装置のコンピュータを、
入力された通信先移動局識別情報に応じて、記憶部から、少なくとも周波数チャネル情報と基地局識別情報とを取得する送信基地局チャネル情報取得手段、
当該送信基地局チャネル情報取得手段の取得した前記基地局識別情報に対応する基地局装置に、前記周波数チャネル情報を出力する送信基地局チャネル情報送信手段、
として機能させことを特徴とするプログラム。
【発明の詳細な説明】
【技術分野】
【０００１】
本発明は、高速に接続可能な通信装置、通信システム、通信制御方法及びプログラムに関する。
【背景技術】
【０００２】
基地局内または基地局を制御する主制御装置内において、移動局から送られた情報により、複数の基地局識別情報と、それぞれの基地局において運用されている運用周波数との対応関係のデータベースを周辺基地局情報として構築、更新を行う技術が特許文献１に記載されている。
送話者が、基地局と有線または無線で接続した装置から、基地局を介して移動局との通信を行う場合、送話者は、通信を行う基地局を選択すれば、上記技術により構築された周辺基地局情報に基づいて、選択された基地局において運用されている周波数チャネルを特定して、移動局と通信を行うことができる。
【先行技術文献】
【特許文献】
【０００３】
【特許文献１】特開平１０−１９１４４２号公報
【発明の概要】
【発明が解決しようとする課題】
【０００４】
しかしながら、特許文献１に記載されている技術は、基地局が常に１つの周波数チャネルのみを用いて移動局と通信を行う技術である。
また、ＳＣＰＣ（Ｓｉｎｇｌｅ−Ｃｈａｎｎｅｌ  Ｐｅｒ  Ｃａｒｒｉｅｒ）方式では、移動局における操作者による移動局のチャネル操作または、移動局における周波数チャネルの自動選択機能によって、移動局の周波数チャネルを変更して、移動局が基地局との通信を行っている。ＳＣＰＣでは、移動局において設定された周波数チャネルが、移動局の通信先の送話者や、基地局などの装置に通知されることはない。なお、ＳＣＰＣ方式では、周波数チャネルは上りの周波数と下りの周波数の組合せを示す。
このため、移動局との通信相手である送話者は、通信先の移動局において設定されている周波数チャネルを特定することはできない。さらに、送話者が、移動局との通信に用いる基地局を選択しても、１台の基地局において複数の周波数チャネルが運用されている場合には、特許文献１の周辺基地局情報をそのまま用いて、移動局と通信可能な周波数チャネルを特定することはできない。
したがって、送話者が、移動局と通信を行う基地局を選択し、選択された基地局において運用されている複数の周波数チャネルの中から、移動局と通信可能な周波数チャネルを特定して速やかな通信を実現する技術が求められている。
【０００５】
そこでこの発明は、上記の課題を解決することのできる通信装置、通信システム、通信制御方法及びプログラムを提供することを目的としている。
【課題を解決するための手段】
【０００６】
上記目的を達成するために、本発明は、基地局装置と移動局装置とを備える無線通信システムであって、前記基地局装置は、前記移動局装置から同期信号を受信した際に、前記同期信号の受信周波数に対応する周波数チャネル情報と、前記移動局装置を識別する移動局識別情報と、前記基地局装置を識別する基地局識別情報を少なくとも含むチャネル関連情報を、直接または他の装置を介して記憶部に記録するチャネル関連情報書き込み部を備えることを特徴とする無線通信システムである。
【０００７】
また本発明は、移動局装置から同期信号を受信した際に、前記同期信号の受信周波数に対応する周波数チャネル情報と、前記移動局装置を識別する移動局識別情報と、基地局装置を識別する基地局識別情報を少なくとも含むチャネル関連情報を、直接または他の装置を介して記憶部に記録するチャネル関連情報書き込み部を備えることを特徴とする基地局装置である。
【０００８】
また本発明は、電源を投入したとき、周波数チャネルを変更したとき、通信先の基地局装置を変更したとき、同期信号を送信してから所定時間が経過したとき、前記同期信号を送信してから所定距離を移動したときの、少なくとも何れか１つを含むタイミングにおいて、基地局チャネル登録要求信号として前記同期信号を基地局装置に送信する登録要求信号送信部を備える特徴とする移動局装置である。
【０００９】
また本発明は、入力された通信先移動局識別情報に応じて、記憶部から、少なくとも周波数チャネル情報と基地局識別情報とを取得する送信基地局チャネル情報取得部と、
当該送信基地局チャネル情報取得部の取得した前記基地局識別情報に対応する基地局装置に、前記周波数チャネル情報を出力する送信基地局チャネル情報送信部と、を備えることを特徴とする送信基地局チャネル選択装置である。
【００１０】
また本発明は、移動局装置から同期信号を受信した際に、前記同期信号の受信周波数に対応する周波数チャネル情報と、前記移動局装置を識別する移動局識別情報と、基地局装置を識別する基地局識別情報を少なくとも含むチャネル関連情報を、直接または他の装置を介して記憶部に記録することを特徴とする通信制御方法である。
【００１１】
また本発明は、電源を投入したとき、周波数チャネルを変更したとき、通信先の基地局装置を変更したとき、同期信号を送信してから所定時間が経過したとき、前記同期信号を送信してから所定距離を移動したときの、少なくとも何れか１つを含むタイミングにおいて、基地局チャネル登録要求信号として前記同期信号を基地局装置に送信することを特徴とする通信制御方法である。
【００１２】
また本発明は、入力された通信先移動局識別情報に応じて、記憶部から、少なくとも周波数チャネル情報と基地局識別情報とを取得し、当該取得した前記基地局識別情報に対応する基地局装置に、前記周波数チャネル情報を出力する、ことを特徴とする通信制御方法である。
【００１３】
また本発明は、基地局装置のコンピュータを、移動局装置から同期信号を受信した際に、前記同期信号の受信周波数に対応する周波数チャネル情報と、前記移動局装置を識別する移動局識別情報と、基地局装置を識別する基地局識別情報を少なくとも含むチャネル関連情報を、直接または他の装置を介して記憶部に記録するチャネル関連情報書き込み手段として機能させことを特徴とするプログラムである。
【００１４】
また本発明は、移動局装置のコンピュータを、電源を投入したとき、周波数チャネルを変更したとき、通信先の基地局装置を変更したとき、同期信号を送信してから所定時間が経過したとき、前記同期信号を送信してから所定距離を移動したときの、少なくとも何れか１つを含むタイミングにおいて、基地局チャネル登録要求信号として前記同期信号を基地局装置に送信する登録要求信号送信手段として機能させことを特徴とするプログラムである。
【００１５】
また本発明は、送信基地局チャネル選択装置のコンピュータを、入力された通信先移動局識別情報に応じて、記憶部から、少なくとも周波数チャネル情報と基地局識別情報とを取得する送信基地局チャネル情報取得手段、当該送信基地局チャネル情報取得手段の取得した前記基地局識別情報に対応する基地局装置に、前記周波数チャネル情報を出力する送信基地局チャネル情報送信手段、として機能させことを特徴とするプログラムである。
【発明の効果】
【００１６】
本発明によれば、通信先移動局識別情報の入力を基に、通信先移動局識別情報が示す移動局に紐づけられた周波数チャネル情報と基地局識別情報とを記憶部から取得し、取得した基地局識別情報に対応する基地局から、取得した周波数チャネル情報に対応するチャネルを用いて信号を送信することで、通信先移動局識別情報に対応する移動局と速やかに通信することができる。
【図面の簡単な説明】
【００１７】
【図１】本発明の無線通信システム１１０の最小構成を示す図である。
【図２】本発明の第一の実施形態による無線通信システム１１０の構成を示す図である。
【図３Ａ】図２で示した第一の実施形態による基地局装置１０の各機能部を示す図である。
【図３Ｂ】図２で示した第一の実施形態による移動局装置２０の各機能部を示す図である。
【図３Ｃ】図２で示した第一の実施形態による送信基地局チャネル選択装置３０の各機能部を示す図である。
【図３Ｄ】図２で示した第一の実施形態によるエリア登録サーバ４０の各機能部を示す図である。
【図４】記憶部４１１の記憶する各移動局装置２０が接続している基地局装置１０と、その基地局との通信で使用している周波数チャネルを示すデータテーブルの例を示す図である。
【図５】本発明の第一の実施形態による無線通信システム１１０の処理フローを示す図である。
【図６】本発明の第一の実施形態による無線通信システム１１０の処理フローを示す図である。
【図７】本発明の第一の実施形態による無線通信システム１１０の処理フローを示す図である。
【図８】本発明の第一の実施形態による無線通信システム１１０の処理フローを示す図である。
【図９】本実施形態によるステップＳ１３ａ〜Ｓ１５ａの処理の代わりに、ステップＳ１４ｂ、Ｓ１５ｂの処理を行った時の処理フローを示す図である。
【図１０】本実施形態によるステップＳ１３ａ〜Ｓ１５ａの処理の代わりに、ステップＳ１４ｃ、Ｓ１５ｃの処理を行った時の処理フローを示す図である。
【図１１】本実施形態によるステップＳ１３ａ〜Ｓ１５ａの処理の代わりに、ステップＳ１４ｄ、Ｓ１５ｄの処理を行った時の処理フローを示す図である。
【図１２】本実施形態によるステップＳ１３ａ〜Ｓ１５ａの処理の代わりに、ステップＳ１４ｅ、Ｓ１５ｅの処理を行った時の処理フローを示す図である。
【図１３】本発明の第二の実施形態による無線通信システム１１０の構成を示す図である。
【図１４Ａ】図１３で示した第二の実施形態による基地局装置１０の各機能部を示す図である。
【図１４Ｂ】図１３で示した第二の実施形態による回線制御装置５０の各機能部を示す図である。
【図１５】本発明の第二の実施形態による無線通信システム１１０の処理フローを示す図である。
【図１６】本発明の第二の実施形態による無線通信システム１１０の処理フローを示す図である。
【図１７】本発明の第二の実施形態による無線通信システム１１０の処理フローを示す図である。
【発明を実施するための形態】
【００１８】
図１は、本発明の無線通信システム１１０の最小構成を示す図である。
本発明の無線通信システム１１０は、図１で示すように、少なくとも、基地局装置１０と、移動局装置２０とを備える。
また、基地局装置１０は、少なくとも、チャネル関連情報書き込み部１０１を備える。
ここで、チャネル関連情報書き込み部１０１は、移動局装置２０から同期信号を受信した際に、基地局装置１０を識別する基地局識別情報と、受信した同期信号の受信周波数に対応する周波数チャネル情報と、同期信号に含まれる移動局装置２０を識別可能な移動局識別情報を含むチャネル関連情報を、直接または他の装置を介して記憶部に記録する機能部である。なお、チャネル関連情報には、基地局識別情報、周波数チャネル情報、移動局識別情報以外の情報が含まれていても良い。
このチャネル関連情報書き込み部１０１は制御部（例えばＣＰＵ、Ｃｅｎｔｒａｌ  Ｐｒｏｃｃｅｓｓｉｎｇ  Ｕｎｉｔ）がプログラムを実行することにより、基地局装置１０に構成される。
【００１９】
＜第一の実施形態＞
図２は、本発明の第一の実施形態による無線通信システム１１０の構成を示す図である。
図２で示すように、第一の実施形態による無線通信システム１１０は、図１で示した無線通信システム１１０の最小構成を示す機能に加え、送信基地局チャネル選択装置３０と、エリア登録サーバ４０と、ネットワークＮＷとを備える。なお、第一の実施形態による無線通信システム１１０における基地局装置１０は、複数の基地局装置１０ａ、１０ｂ、１０ｃ、・・・が存在するものとする。そして、基地局装置１０ａ、１０ｂ、１０ｃ、・・・のそれぞれは、少なくとも、チャネル関連情報書き込み部１０１を備える。また、第一の実施形態による無線通信システム１１０における移動局装置２０は、複数の移動局装置２０ａ、２０ｂ、２０ｃ、・・・が存在してもよい。
【００２０】
図３Ａは、図２で示した第一の実施形態による基地局装置１０の各機能部を示す図である。
基地局装置１０のそれぞれは、図３Ａで示すように、通信部１００と、チャネル関連情報書き込み部１０１と、同期信号検出部１０２と、同期信号解析部１０３と、同期信号判別部１０５と、折り返し信号送信部１０６と、回線制御部１０７と、記憶部１１１とを備える。
ここで、通信部１００は、他装置と通信を行う機能部である。
また、チャネル関連情報書き込み部１０１は、移動局装置２０から同期信号を受信した際に、基地局装置１０を識別する基地局識別情報と、受信した同期信号の受信周波数を示す周波数チャネル情報と、同期信号に含まれる移動局装置２０を識別可能な移動局識別情報を含むチャネル関連情報を、直接または他の装置を介して記憶部４１１に記録する機能部である。
また、同期信号検出部１０２は、移動局装置２０からの同期信号の受信を検出する機能部である。
また、同期信号解析部１０３は、同期信号検出部１０２の検出した同期信号を解析し、同期信号の受信周波数に対応する周波数チャネル情報と移動局装置２０を識別する移動局識別情報とを抽出する機能部である。
また、同期信号判別部１０５は、音声通信またはデータ通信の少なくとも何れか一方の通信を行う際の同期信号を示す第一同期信号識別子と、基地局チャネル登録要求信号としての同期信号の第二同期信号識別子とを判別する機能部である。
また、折り返し信号送信部１０６は、同期信号判別部１０５が同期信号の同期信号識別子を音声通信またはデータ通信の少なくとも何れか一方の通信を行う際の同期信号の第一同期信号識別子と判別した場合に、折り返し信号を送信する機能部である。
また、回線制御部１０７は、送信基地局チャネル選択装置３０からの周波数チャネル情報に基づいて、送信チャネルを選択して回線を接続する機能部である。
また、記憶部１１１は、基地局装置１０におけるプログラムや種々のデータを記憶する記憶部である。
【００２１】
図３Ｂは、図２で示した第一の実施形態による移動局装置２０の各機能部を示す図である。
移動局装置２０のそれぞれは、図３Ｂで示すように、通信部２００と、登録要求信号送信部２０１と、周波数チャネル変更検出部２０２と、基地局装置変更検出部２０３と、時間検出部２０４と、移動距離検出部２０５と、同期信号識別子付加部２０６と、同期信号生成部２０７と音声データ通信同期信号送信部２０８と、記憶部２１１とを備える。
ここで、通信部２００は、他装置と通信を行う機能部である。
また、登録要求信号送信部２０１は、電源を投入したとき、または周波数チャネルを変更するとき、または通信先の基地局装置を変更したとき、または同期信号を送信してから所定時間が経過したとき、または同期信号を送信してから所定距離を移動したときの、少なくとも何れか１つまたは複数のタイミングにおいて、基地局チャネル登録要求信号として同期信号を基地局装置１０に送信する機能部である。
また、周波数チャネル変更検出部２０２は、周波数チャネルの変更を検出する機能部である。
また、基地局装置変更検出部２０３は、通信先の基地局装置１０の変更を検出する機能部である。
また、時間検出部２０４は、同期信号を送信してから所定時間の経過を検出する機能部である。
また、移動距離検出部２０５は、同期信号を送信してからの所定距離の移動を検出する機能部である。
また、同期信号識別子付加部２０６は、音声通信またはデータ通信を行う際に送信する同期信号を識別する第一同期信号識別子を当該同期信号に付加し、基地局チャネル登録要求信号として送信する同期信号を識別する第二同期信号識別子を当該同期信号に付加する機能部である。
また、同期信号生成部２０７は、移動局装置２０を識別する移動局識別情報を付加した同期信号を生成する機能部である。
また、音声データ通信同期信号送信部２０８は、音声通信またはデータ通信を行う際の同期信号を送信する機能部である。
また、記憶部２１１は、移動局装置２０におけるプログラムや種々のデータを記憶する機能部である。
【００２２】
図３Ｃは、図２で示した第一の実施形態による送信基地局チャネル選択装置３０の各機能部を示す図である。
送信基地局チャネル選択装置３０は、図３Ｃで示すように、通信部３００と、送信基地局チャネル情報取得部３０１と、送信基地局チャネル情報送信部３０２と、記憶部３１１とを備える。
ここで、通信部３００は、他装置と通信を行う機能部である。
また、送信基地局チャネル情報取得部３０１は、入力された通信先の移動局を示す通信先移動局識別情報に応じて、エリア登録サーバ４０の記憶部４１１から、通信先移動局識別情報の移動局に対応する周波数チャネル情報と基地局識別情報を取得する機能部である。
また、送信基地局チャネル情報送信部３０２は、送信基地局チャネル情報取得部３０１の取得した周波数チャネル情報を、送信基地局チャネル情報取得部３０１の取得した基地局識別情報に対応する基地局装置１０に出力する機能部である。
また、記憶部３１１は、送信基地局チャネル選択装置３０におけるプログラムや種々のデータを記憶する機能部である。
【００２３】
図３Ｄは、図２で示した第一の実施形態によるエリア登録サーバ４０の各機能部を示す図である。
エリア登録サーバ４０は、図３Ｄで示すように、通信部４００と、制御部４０１と、記憶部４１１とを備える。
ここで、通信部４００は、他装置と通信を行う機能部である。
また、制御部４０１は、エリア登録サーバ４０における種々の制御を行う機能部である。
また、記憶部４１１はエリア登録サーバ４０における種々のデータを記憶する機能部である。
なお、基地局装置１０、移動局装置２０および送信基地局チャネル選択装置３０が、制御部（例えばＣＰＵ、Ｃｅｎｔｒａｌ  Ｐｒｏｃｃｅｓｓｉｎｇ  Ｕｎｉｔ）等を有し、それぞれの装置と同等の機能が、それぞれの装置の制御部によるプログラムの実行により実現されても良い。
【００２４】
図４は、記憶部４１１の記憶する各移動局装置２０が通信を行った最新の基地局装置１０と、その基地局との通信で使用した周波数チャネルを示すデータテーブルの例を示す図である。
本実施形態の無線通信システム１１０において、基地局装置１０ａ、１０ｂ、１０ｃのそれぞれは複数の周波数チャネルの中から、移動局装置２０毎に１つの周波数チャネルを選択して移動局装置２０と通信する。このような場合に、移動局装置２０ａ、２０ｂ、２０ｃの各ユーザは、使用中の移動局装置２０が利用可能な複数の周波数チャネルの中から１つの周波数チャネルを選択する。ユーザによる周波数チャネルの選択に応じて、同期信号識別子付加部２０６は、例えば、同期信号が登録要求信号であることを示す第二同期信号識別子“１”を同期信号に付加する。そして、同期信号識別子付加部２０６は、登録要求信号送信部２０１に、同期信号識別子を付加した同期信号を出力する。登録要求信号送信部２０１は、同期信号識別子付加部２０６から同期信号を入力すると、その基地局チャネル登録要求信号に対応する同期信号を同期バースト信号（ＳＢ０）として基地局装置１０に送信する。
基地局装置１０の同期信号検出部１０２は、通信部１００を介して移動局装置２０から同期信号を入力する。そして、同期信号検出部１０２は同期信号を検出する。
同期信号検出部１０２は、同期信号を検出すると、検出した同期信号をチャネル関連情報書き込み部１０１と同期信号判別部１０５に出力する。
チャネル関連情報書き込み部１０１は、同期信号検出部１０２から同期信号を入力すると、その同期信号の受信周波数を示す周波数チャネル情報と、基地局装置１０を識別する基地局識別情報と、移動局装置２０を識別する移動局識別情報を含むチャネル関連情報を、直接または他の装置を介して記憶部４１１に記録する。
【００２５】
例えば、図２で示した無線通信システム１１０において、移動局装置２０ａが現在接続している基地局装置は基地局装置１０ａ、移動局装置２０ｂが現在接続している基地局装置は基地局装置１０ａ、移動局装置２０ｃが現在接続している基地局装置は基地局装置１０ｃである。ここで、移動局装置２０ａの場合を例に考える。
移動局装置２０ａのユーザは、移動局装置２０ａで利用可能な複数の周波数チャネルの中から１つの周波数チャネル、例えば“周波数チャネル３”を選択する。すると、ユーザによる“周波数チャネル３”の選択により、周波数チャネル変更検出部２０２が、周波数チャネルの変化を検出した場合、同期信号識別子付加部２０６は、例えば、同期信号が登録要求信号であることを示す第二同期信号識別子“１”を同期信号に付加する。そして、同期信号識別子付加部２０６は、登録要求信号送信部２０１にその同期信号を出力する。登録要求信号送信部２０１は、同期信号識別子付加部２０６から同期信号を入力すると、その基地局チャネル登録要求信号に対応する同期信号を同期バースト信号（ＳＢ０）として基地局装置１０に送信する。
基地局装置１０ａの同期信号検出部１０２は、基地局装置１０ａの通信部１００を介して移動局装置２０ａから信号を入力する。そして、基地局装置１０ａの同期信号検出部１０２は同期信号を検出する。
基地局装置１０ａの同期信号検出部１０２は、同期信号を検出すると、検出した同期信号を基地局装置１０ａのチャネル関連情報書き込み部１０１と基地局装置１０ａの同期信号判別部１０５とに出力する。
基地局装置１０ａのチャネル関連情報書き込み部１０１は、基地局装置１０ａの同期信号検出部１０２から同期信号を入力すると、例えばその同期信号の受信周波数を示す周波数チャネル情報と、基地局装置１０ａを識別する基地局識別情報と、移動局装置２０ａを識別する移動局識別情報とから成るチャネル関連情報を、エリア登録サーバ４０に出力する。エリア登録サーバ４０が基地局装置１０ａからチャネル関連情報を入力すると、エリア登録サーバ４０の制御部４０１は、図４で示したようなデータテーブルとして、入力したチャネル関連情報を記憶部４１１に記録する。
なお、チャネル関連情報に含まれる情報は、基地局識別情報、周波数チャネル情報、移動局識別情報に限定されるものではなく、他の情報が含まれていても良い。例えば、チャネル関連情報に、基地局識別情報、周波数チャネル情報、移動局識別情報に加えて、基地局装置１０が測定した同期信号の受信電界（ＲＳＳＩ；Ｒｅｃｅｉｖｅｄ  Ｓｉｇｎａｌ  Ｓｔｒｅｎｇｔｈ  Ｉｎｄｉｃａｔｉｏｎ）を、受信電界情報として含めても良い。また、本実施形態では、エリア登録サーバ４０は、基地局装置１０からチャネル関連情報が入力されると、そのまま記憶部４１１に記録していたが、本処理に限定されるものではない。例えば、複数の基地局装置１０それぞれが、同一の移動局装置２０から同期信号を受信し、複数の基地局装置１０それぞれが、エリア登録サーバ４０にチャネル関連情報を記録するためにアクセスする場合がある。エリア登録サーバ４０が、複数の基地局装置１０それぞれから、所定時間間隔以内に、移動局識別情報が同一で、基地局識別情報が異なるチャネル関連情報を受信した場合には、受信電界情報が最大のチャネル関連情報のみを記録部４１１に記録しても良い。上記の処理により、以下に示す図６のステップＳ９では、送信基地局チャネル選択装置３０は、受信電界が最大の基地局装置１０に対応する基地局識別情報を取得する。この結果、送信基地局チャネル選択装置３０は、受信電界が高い基地局装置１０を介して、移動局装置２０と通信を行うことができる。エリア登録サーバ４０が、異なる基地局装置１０から、所定時間間隔を超えて、移動局識別情報が同一のチャネル関連情報を複数受信した場合には、エリア登録サーバ４０は、チャネル関連情報をそのまま記憶部４１１に記録する。
また、基地局装置１０の同期信号判別部１０５は、同期信号検出部１０２から同期信号を入力すると、同期信号に付加されている第二同期信号識別子“１”を検出して同期信号を基地局チャネル登録要求信号であると判別する。そして、同期信号判別部１０５は、この判別結果を折り返し信号送信部１０６とチャネル関連情報書き込み部１０１に出力する。
折り返し信号送信部１０６は、同期信号判別部１０５から判別結果を入力すると、同期信号を基地局チャネル登録要求信号であるという判別結果に基づいて、折り返し信号を出力しない。なお、同期信号に付加されている同期信号識別子が“０”であった場合は、同期信号判別部１０５は音声通信またはデータ通信の少なくとも何れか一方の通信を行う際の同期信号と判別する。そして、折り返し信号送信部１０６は、同期信号判別部１０５から判別結果を入力すると、音声通信またはデータ通信の少なくとも何れか一方の通信を行う際の同期信号であるという判別結果に基づいて、折り返し信号を送信する。なお、同期信号判別部１０５は、同期信号識別子が“０”であった場合にのみ判別結果を出力し、折り返し信号送信部１０６は、同期信号判別部１０５から判別結果を受信した場合にのみ、折り返し信号を送信するようにしても良い。また、同期信号判別部１０５は、同期信号識別子が“０”であった場合には判別結果を出力せず、折り返し信号送信部１０６は、予め決められた時間から所定時間以内に、同期信号判別部１０５から判別結果を受信しない場合にのみ、折り返し信号を送信するようにしても良い。
以上のように、周波数チャネル情報と基地局識別情報と移動局識別情報を含むチャネル関連情報が記憶部４１１に記録される。
【００２６】
図５〜図８は、本発明の第一の実施形態による無線通信システム１１０の処理フローを示す図である。
ここでは、図２と図３Ａで示した基地局装置１０と、移動局装置２０と、送信基地局チャネル選択装置３０と、エリア登録サーバ４０とから成る本実施形態による無線通信システム１１０において、移動局装置２０ａが移動中に、送信基地局チャネル選択装置３０が移動局装置２０ａと通信する場合を例に無線通信システム１１０の処理を説明する。また、基地局装置１０が複数の周波数チャネルを利用可能な通信としてＳＣＰＣ（Ｓｉｎｇｌｅ−Ｃｈａｎｎｅｌ  Ｐｅｒ  Ｃａｒｒｉｅｒ）方式の通信を例に無線通信システム１１０の処理を説明する。なお、本発明は、ＳＣＰＣ通信方式において限定されるものではなく、他の通信方式でも利用できる。
【００２７】
まず、ＳＣＰＣ方式の無線通信システム１１０において、移動局装置２０ａは、あるエリアを移動中に通信部２００を介して複数の基地局装置１０（１０ａ、１０ｂ、１０ｃ）からの下りリンクの電波を受信する。そして、移動局装置２０ａは、その電波の受信電界（ＲＳＳＩ；Ｒｅｃｅｉｖｅｄ  Ｓｉｇｎａｌ  Ｓｔｒｅｎｇｔｈ  Ｉｎｄｉｃａｔｉｏｎ）の中で最も強い電界の下りリンクの周波数に対応する周波数チャネルを選択することで、受信電界が最大の電波を送信する基地局装置１０ａと接続する。このような周波数チャネルの選択は、ユーザによる周波数チャネルの指定または周波数チャネルの自動サーチにより行われる。移動局装置２０ａは基地局装置１０ａが利用する複数の周波数チャネルの中から移動局装置２０ａが基地局装置１０ａと通信するために使用する周波数チャネルを決定する。
次に、図５を用いて、移動局装置２０aの音声通信時において、移動局装置２０aが同期信号を送信し、基地局装置１０aが、受信した同期信号から、周波数チャネル情報、移動局識別情報を生成する処理フローの例を説明する。
移動局装置２０ａが音声通信を開始する場合、プレスをＯＮ状態にすることで、図３Ｂに示す移動局装置２０ａにおける同期信号生成部２０７は、自装置を識別する移動局識別情報が付加された、ＳＣＰＣ方式の同期信号を生成する（ステップＳ１）。そして、同期信号生成部２０７は、生成した同期信号を同期信号識別子付加部２０６に出力する。
同期信号識別子付加部２０６は、同期信号生成部２０７から同期信号を入力すると、音声通信またはデータ通信を行う際に送信する同期信号を識別する第一同期信号識別子“０”を当該同期信号に付加し出力する（ステップＳ２）。同期信号を基地局チャネル登録要求信号として送信する場合には、同期信号を識別する第二同期信号識別子“１”を当該同期信号に付加する。なお、同期信号識別子には、既存の同期信号の信号フォーマットにおいて、使用していない余りビットを用いる。なお、既存のフォーマットに余りビットがない場合には、同期信号の信号フォーマットを変更しても良い。
音声データ通信同期信号送信部２０８は、同期信号識別子付加部２０６から同期信号を入力すると、入力した同期信号を同期バースト信号（ＳＢ０）として、基地局装置１０ａに通信部２００を介して送信する（ステップＳ３）。
【００２８】
図３Ａで示した基地局装置１０ａの同期信号検出部１０２は、通信部１００を介して移動局装置２０ａから信号を受信すると、受信した信号が同期信号であることを検出する(ステップＳ４)。そして、同期信号検出部１０２は、検出した同期信号を同期信号解析部１０３に出力する。
図３Ａで示した同期信号解析部１０３は、同期信号検出部１０２から同期信号を入力すると、入力した同期信号を解析し、同期信号を受信した周波数チャネルに対応する周波数チャネル情報と移動局装置２０ａを識別する移動局識別情報とを抽出する（ステップＳ５）。そして、同期信号解析部１０３は、抽出した周波数チャネル情報と移動局識別情報をチャネル関連情報書き込み部１０１に出力する。
図６を用いて、はじめに、基地局装置１０aが、周波数チャネル情報、移動局識別情報、基地局識別情報から生成したチャネル関連情報を、エリア登録サーバに記録する処理フローの例を説明する。次に、同じ図６を用いて、送信基地局チャネル選択装置が、エリア登録サーバから取得した周波数チャネル情報と基地局識別情報から、通信に用いる周波数チャネルと基地局を選択して、移動局と通信を行う処理フローの例を説明する。
なお、図６では、チャネル関連情報をエリア登録サーバに記録する処理フロー（ステップＳ６、Ｓ７、Ｓ８）と、送信基地局チャネル選択装置が、移動局と通信を行う処理フロー（ステップＳ９、Ｓ１２）を連続した処理として説明したが、連続した処理である必要はない。両処理は独立に実行されても良い。
図３Ａで示したチャネル関連情報書き込み部１０１は、同期信号解析部１０３から周波数チャネル情報と移動局識別情報とを入力すると、入力した周波数チャネル情報と移動局識別情報に、基地局装置１０ａを識別する基地局識別情報を付加してチャネル関連情報を生成する（ステップＳ６）。そして、チャネル関連情報書き込み部１０１は、周波数チャネル情報と基地局識別情報と移動局識別情報を含むチャネル関連情報をエリア登録サーバ４０に通信部１００を介して出力する（ステップＳ７）。例えば、チャネル関連情報書き込み部１０１は、移動局識別情報と基地局識別情報と周波数チャネル情報とから成るチャネル関連情報をエリア登録サーバ４０に通信部１００を介して出力する。
エリア登録サーバ４０の制御部４０１は、通信部４００を介して基地局装置１０ａからチャネル関連情報を入力すると、そのチャネル関連情報を図４で示したようにデータテーブルとして記憶部４１１に記録する（ステップＳ８）。
図５のステップＳ１〜図６のステップＳ８の処理により、チャネル関連情報が記憶部４１１に記録される。
【００２９】
次に、図３Ｃの記憶部４１１が記憶するチャネル関連情報を用いて、送信基地局チャネル選択装置３０が移動局装置２０ａと通信する場合の無線通信システム１１０の処理を説明する。
送信基地局チャネル選択装置３０が、通信先の移動局装置２０ａを示す通信先移動局識別情報を入力すると、移動局装置２０ａと通信するために、図３Ｃの送信基地局チャネル選択装置３０の送信基地局チャネル情報取得部３０１は、通信部３００を介してエリア登録サーバ４０のアドレスを指定し、記憶部４１１から、通信先移動局識別情報が示す移動局識別情報に対応する周波数チャネル情報と基地局識別情報とから成る送信基地局チャネル情報を取得する（ステップＳ９）。ここで送信基地局チャネル情報取得部３０１の取得する送信基地局チャネル情報は、例えば図４で示したデータテーブルにおいて、通信先移動局識別情報と移動局識別情報が一致する行の基地局識別情報と周波数チャネル情報である。図３Ｃの送信基地局チャネル情報送信部３０２は、送信基地局チャネル情報取得部３０１から送信基地局チャネル情報を入力すると、送信基地局チャネル情報における基地局識別情報に対応する基地局装置１０（１０ａ）に通信部３００を介して、送信基地局チャネル情報における周波数チャネル情報を通知する。
基地局装置１０が送信基地局チャネル選択装置３０から周波数チャネル情報を入力すると、図３Ａで示した基地局装置１０の回線制御部１０７は、入力した周波数チャネル情報に対応する周波数チャネルを用いて、移動局装置２０ａと通信する（ステップＳ１２）。
例えば、図３Ｃの送信基地局チャネル情報送信部３０２が周波数チャネル３を基地局装置１０ａに通信部３００を介して出力したと仮定する。基地局装置１０ａが通信部１００を介して送信基地局チャネル選択装置３０から周波数チャネル情報を入力すると、基地局装置１０ａの回線制御部１０７は、入力した周波数チャネル情報の周波数チャネルで移動局装置２０ａと通信する。
図５のステップＳ１〜ステップＳ５と、図６のステップＳ６〜ステップＳ１２の処理により送信基地局チャネル選択装置３０と移動局装置２０ａとが回線で接続され、通信が可能となる。
【００３０】
次に、図７を用いて、移動局装置２０ａが場所を移動し、基地局装置１０ａとは別の基地局装置１０ｂと接続される場合の無線通信システム１１０の処理フローを説明する。
移動局装置２０ａが場所を移動中にも、複数の基地局装置１０（１０ａ、１０ｂ、１０ｃ）からの下りリンクの電波を受信している。そして、移動局装置２０ａの場所の移動により、電波の受信電界（ＲＳＳＩ）の中で最も強い電界を示す電波を発信する基地局装置が基地局装置１０ａから基地局装置１０ｂになったと仮定する。この場合、移動局装置２０ａの自動チャネルサーチにより、移動局装置２０ａの接続先の基地局装置が基地局装置１０ａから基地局装置１０ｂに変更される。基地局装置１０ｂは、常送モードの場合、移動局装置２０ａに低速付随制御チャネル（ＳＡＣＣＨ；Ｓｌｏｗ  Ａｓｓｏｃｉａｔｅｄ  Ｃｏｎｔｒｏｌ  ＣＨａｎｎｅｌ）信号を常に送信している（ステップＳ１３ａ）。
図３Ｂで示した移動局装置２０ａの基地局装置変更検出部２０３は、通信部２００を介して基地局装置１０ｂからＳＡＣＣＨ信号を入力すると、ＳＡＣＣＨ信号に含まれる基地局番号の情報を読み取り、通信先の基地局装置１０が変更されたことを検出する（ステップＳ１４ａ）。そして、基地局装置変更検出部２０３は、通信先の基地局装置１０が変更されたことを通知する基地局変更信号を同期信号生成部２０７に出力する。
図３Ｂの同期信号生成部２０７は、基地局装置変更検出部２０３から基地局変更信号を入力すると、同期信号に移動局識別情報を付加する（ステップＳ１５ａ）。そして、同期信号生成部２０７は、移動局識別情報を付加した同期信号をそのフォーマットを使用して同期信号識別子付加部２０６に出力する。
同期信号識別子付加部２０６は、同期信号生成部２０７から同期信号を入力すると、例えば、同期信号が登録要求信号であることを示す第二同期信号識別子“１”を同期信号に付加する（ステップＳ１６）。そして、同期信号識別子付加部２０６は、登録要求信号送信部２０１にその同期信号を出力する。登録要求信号送信部２０１は、同期信号識別子付加部２０６から同期信号を入力すると、入力した基地局チャネル登録要求信号に対応する同期信号を同期バースト信号（ＳＢ０）として基地局装置１０ｂに送信する（ステップＳ１７）。
次に、図８を用いて、基地局装置１０ｂが、受信した同期信号から抽出したチャネル関連情報を、エリア登録サーバ４０に記録し、さらに、基地局装置１０ｂが、同期信号に含まれる同期信号識別子に応じて、折り返し信号の送信の要否を決定する処理フローを説明する。
図３Ａで示した基地局装置１０ｂの同期信号検出部１０２は、通信部１００を介して移動局装置２０ａから同期信号を受信する。そして、同期信号検出部１０２は同期信号を検出する。基地局装置１０ｂの同期信号検出部１０２は、同期信号を検出すると、検出した同期信号を基地局装置１０ｂのチャネル関連情報書き込み部１０１と同期信号判別部１０５とに出力する（ステップＳ１８）。
チャネル関連情報書き込み部１０１は、同期信号検出部１０２から同期信号を入力すると、通信部１００を介して、同期信号の受信周波数を示す周波数チャネル情報と、当該同期信号に含まれる移動局識別情報と、当該同期信号を受信した基地局を識別する基地局識別情報とから成るチャネル関連情報を、エリア登録サーバ４０に出力する（ステップＳ１９ａ）。エリア登録サーバ４０が基地局装置１０ｂからチャネル関連情報を入力すると、エリア登録サーバ４０の制御部４０１は、図４で示したようなデータテーブルとして、入力したチャネル関連情報を記憶部４１１に記録する（ステップＳ２０ａ）。具体的には、データテーブルにおいて、チャネル関連情報における移動局識別情報に一致する行の、周波数チャネル情報と、基地局識別情報の更新を行う。
また、基地局装置１０ｂの同期信号判別部１０５は、同期信号検出部１０２から同期信号を入力すると、同期信号に付加されている第二同期信号識別子“１”を検出して同期信号を基地局チャネル登録要求信号であると判別する（ステップＳ１９ｂ）。そして、同期信号判別部１０５は、この判別結果を折り返し信号送信部１０６とチャネル関連情報書き込み部１０１に出力する。
図３Ａの折り返し信号送信部１０６は、同期信号判別部１０５から判別結果を入力すると、同期信号を基地局チャネル登録要求信号であるという判別結果に基づいて、折り返し信号を送信しない（ステップＳ２０ｂ）。なお、同期信号に付加されている同期信号識別子が“０”であった場合は、同期信号判別部１０５は音声通信またはデータ通信の少なくとも何れか一方の通信を行う際の同期信号と判別する。そして、折り返し信号送信部１０６は、同期信号判別部１０５から判別結果を入力すると、音声通信またはデータ通信の少なくとも何れか一方の通信を行う際の同期信号であるという判別結果に基づいて、折り返し信号を出力する（ステップＳ２０ｂ）。
【００３１】
同期信号識別子には、既存の同期信号の信号フォーマットにおいて、使用していない余りビットを用いる。なお、既存のフォーマットに余りビットがない場合には、フォーマットを変更しても良い。
【００３２】
次に、図９を用いて、移動局装置２０aにおける電源の起動をトリガに、移動局装置２０aが、同期信号を基地局チャネル登録要求信号として送信する処理フローの例を説明する。図９は、本実施形態による図７のステップＳ１３ａ〜Ｓ１５ａの処理の代わりに、ステップＳ１４ｂ、Ｓ１５ｂの処理を行った時の処理フローを示す図である。ここでは、図７との差分に対応するステップＳ１４ｂおよびＳ１５ｂを説明する。
移動局装置２０ａの移動局装置起動検出部２０９は、例えば電源を投入したときの装置の所定箇所における電圧や電流をモニタするなどにより、移動局装置２０ａの起動を検出する（ステップＳ１４ｂ）。そして、移動局装置起動検出部２０９は、移動局装置２０ａに電源が投入されたことを通知する移動局装置起動信号を同期信号生成部２０７に出力する。
同期信号生成部２０７は、移動局装置起動検出部２０９から移動局装置起動信号を入力すると、同期信号に移動局識別情報を付加する（ステップＳ１５ｂ）。そして、図７と同様に、本実施形態による無線通信システム１１０のステップＳ１６、Ｓ１７の処理を行い、同期信号を同期バースト信号（ＳＢ０）として基地局装置１０ｂに送信する。
【００３３】
次に、図１０を用いて、移動局装置２０aにおける周波数チャネルの変更をトリガに、移動局装置２０aが、同期信号を基地局チャネル登録要求信号として送信する処理フローの例を説明する。図１０は、本実施形態による図７のステップＳ１３ａ〜Ｓ１５ａの処理の代わりに、ステップＳ１４ｃ、Ｓ１５ｃの処理を行った時の処理フローを示す図である。ここでは、図７との差分に対応するステップＳ１４ｃおよびＳ１５ｃを説明する。
移動局装置２０ａの周波数チャネル変更検出部２０２は、例えばユーザによる周波数チャネルの指定または周波数チャネルの自動サーチによる移動局装置２０ａの使用する周波数チャネルの変更を検出する（ステップＳ１４ｃ）。そして、周波数チャネル変更検出部２０２は、周波数チャネルが変更されたことを通知する周波数チャネル変更信号を同期信号生成部２０７に出力する。
図３Ｂの同期信号生成部２０７は、基地局装置変更検出部２０３から周波数チャネル変更信号を入力すると、同期信号に移動局識別情報を付加する（ステップＳ１５ｃ）。そして、図７と同様に、本実施形態による無線通信システム１１０のステップＳ１６、Ｓ１７の処理を行い、同期信号を同期バースト信号（ＳＢ０）として基地局装置１０ｂに送信する。
【００３４】
次に、図１１を用いて、移動局装置２０aが同期信号を送信してから所定時間の経過をトリガに、移動局装置２０aが、同期信号を基地局チャネル登録要求信号として送信する処理フローの例を説明する。
図１１は、本実施形態によるステップＳ１３ａ〜Ｓ１５ａの処理の代わりに、ステップＳ１４ｄ、Ｓ１５ｄの処理を行った時の処理フローを示す図である。ここでは、図７との差分に対応するステップＳ１４ｄおよびＳ１５ｄを説明する。
移動局装置２０ａの時間検出部２０４は、前回同期信号を送信したときから所定の時間が経過したことを検出する（ステップＳ１４ｄ）。そして、時間検出部２０４は、所定の時間が経過したことを通知する所定時間経過信号を同期信号生成部２０７に出力する。
同期信号生成部２０７は、時間検出部２０４から所定時間経過信号を入力すると、同期信号に移動局識別情報を付加する（ステップＳ１５ｄ）。そして、図７と同様に、本実施形態による無線通信システム１１０のステップＳ１６、Ｓ１７の処理を行い、同期信号を同期バースト信号（ＳＢ０）として基地局装置１０ｂに送信する。
【００３５】
次に、図１２を用いて、移動局装置２０aが同期信号を送信してから所定の距離を移動したことをトリガに、移動局装置２０aが、同期信号を基地局チャネル登録要求信号として送信する処理フローの例を説明する。
図１２は、本実施形態によるステップＳ１３ａ〜Ｓ１５ａの処理の代わりに、ステップＳ１４ｅ、Ｓ１５ｅの処理を行った時の処理フローを示す図である。ここでは、図７との差分に対応するステップＳ１４ｅおよびＳ１５ｅを説明する。
移動局装置２０ａの移動距離検出部２０５は、前回同期信号を送信したときから所定の距離を移動したことを検出する（ステップＳ１４ｅ）。そして、移動距離検出部２０５は、所定の距離を移動したことを通知する所定移動距離信号を同期信号生成部２０７に出力する。
同期信号生成部２０７は、移動距離検出部２０５から所定移動距離信号を入力すると、同期信号に移動局識別情報を付加する（ステップＳ１５ｅ）。そして、図７と同様に、本実施形態による無線通信システム１１０のステップＳ１６、Ｓ１７の処理を行い、同期信号を同期バースト信号（ＳＢ０）として基地局装置１０ｂに送信する。
【００３６】
以上、本発明の第一の実施形態による無線通信システム１１０の処理フローについて説明したが、第一の実施形態による無線通信システム１１０の処理により、基地局が複数の周波数チャネルを利用して通信を行うことができる場合において、基地局と移動局とが適切な周波数チャネルで速やかに通信することができるという効果が得られる。
また、基地局装置１０は、移動局装置２０からの基地局チャネル登録要求信号に対して折り返し通信を行わず、不要な干渉の発生を防ぐことができる。
また、ＳＣＰＣ方式の通信における、既存の同期信号のフォーマットをそのまま利用することができ、通信プロトコルの変更が不要である。
【００３７】
＜第二の実施形態＞
図１３は、本発明の第二の実施形態による無線通信システム１１０の構成を示す図である。
また、図１４Ａは、図１３で示した第二の実施形態による基地局装置１０の各機能部を示す図である。
また、図１４Ｂは、図１３で示した第二の実施形態による回線制御装置５０の各機能部を示す図である。
図１３で示すように、第二の実施形態による無線通信システム１１０は、図１で示した第一の実施形態による無線通信システム１１０の基地局装置１０が備える回線制御部１０７の代わりに、回線制御装置５０を備える。
また、基地局装置１０は、図１４Ａで示すように、第一の実施形態による基地局装置１０の回線制御部１０７の機能を削除した構成である。
また、回線制御装置５０は、図１４Ｂで示すように、通信部５００と、回線制御部５０１と、記憶部５１１とを備える。
ここで、通信部５００は、他装置と通信を行う機能部である。
また、回線制御部５０１は、送信基地局チャネル選択装置３０からの送信基地局チャネル情報に基づいて、回線を接続する機能部である。また、記憶部５１１は、回線制御装置５０におけるプログラムや種々のデータを記憶する機能部である。
【００３８】
図１５と図１６は、本発明の第二の実施形態による無線通信システム１１０の処理フローを示す図である。
ここでは、図１３と図１４で示した本実施形態による無線通信システム１１０において、移動局装置２０ａが移動中に、送信基地局チャネル選択装置３０が移動局装置２０ａと通信する場合を例に無線通信システム１１０の処理を説明する。また、基地局装置１０が複数の周波数チャネルを利用可能な通信としてＳＣＰＣ（Ｓｉｎｇｌｅ−Ｃｈａｎｎｅｌ  Ｐｅｒ  Ｃａｒｒｉｅｒ）方式の通信を例に無線通信システム１１０の処理を説明する。
第一の実施形態における図５のステップＳ１〜Ｓ５は、第二の実施形態と同一であるため、説明を省略する。図１５および図１６に、第二の実施形態において、基地局装置１０ａが、回線制御装置５０を介して、チャネル関連情報をエリア登録サーバ４０に記録し、送信基地局チャネル選択装置が、エリア登録サーバ４０に記録したデータベースを用いて、通信先移動局識別情報に対応する移動局と通信を行う例を説明する。第二の実施形態における図１５のステップ６と同一である。
第二の実施形態では、第一の実施形態で用いた図６に示すステップＳ７、Ｓ８、Ｓ９、Ｓ１２の処理の代わりに、図１５で示すステップＳ２１〜Ｓ２６および図１６に示すステップＳ２７、Ｓ２８の処理を行う。このため、本実施形態では、第一の実施形態との差分に対応するステップＳ２１〜Ｓ２８のみを説明する。
なお、図１５では、チャネル関連情報をエリア登録サーバに記録する処理フロー（ステップＳ６、Ｓ２１、Ｓ２２、Ｓ２３）と、送信基地局チャネル選択装置３０が、移動局と通信を行う処理フローを連続した処理フロー（ステップＳ２４、Ｓ２５、Ｓ２６、Ｓ２７、Ｓ２８）として説明したが、両処理は連続した処理である必要はない。両処理が独立に実行されても良い。
【００３９】
ステップＳ６の処理に続き、チャネル関連情報書き込み部１０１は、移動局識別情報と基地局識別情報とチャネル情報とから成るチャネル関連情報とエリア登録サーバ４０のアドレス情報とを回線制御装置５０に通信部１００を介して出力する（ステップＳ２１）。
回線制御装置５０がチャネル関連情報とエリア登録サーバ４０のアドレス情報とを入力すると、回線制御装置５０の回線制御部５０１は、そのアドレス情報に基づいてエリア登録サーバ４０に接続し、接続したエリア登録サーバ４０にチャネル関連情報を出力する（ステップＳ２２）。
エリア登録サーバ４０の制御部４０１は、通信部４００を介して回線制御装置５０からチャネル関連情報を入力すると、そのチャネル関連情報を図４で示したようにデータテーブルとして記憶部４１１に記録する（ステップＳ２３）。
なお、チャネル関連情報に含まれる情報は、基地局識別情報、周波数チャネル情報、移動局識別情報に限定されるものではなく、他の情報が含まれていても良い。例えば、チャネル関連情報に、基地局装置１０が測定した同期信号の受信電界（ＲＳＳＩ）を、受信電界情報として含めても良い。また、本実施形態では、回線制御装置５０は、基地局装置１０からチャネル関連情報が入力されると、そのままエリア登録サーバ４０に出力していたが、本処理に限定されるものではない。例えば、複数の基地局装置１０それぞれが、同一の移動局装置２０から同期信号を受信する場合を想定する。このとき、回線制御装置５０は、複数の基地局装置１０それぞれから、所定時間間隔以内に、移動局識別情報が同一で、基地局識別情報が異なるチャネル関連情報を受信する。この場合、回線制御装置５０は、受信電界情報が最大のチャネル関連情報のみを、エリア登録サーバ４０に出力しても良い。上記の処理により、以下に示す図１５のステップＳ２６において、送信基地局チャネル選択装置３０は、受信電界が最大の基地局装置１０に対応する基地局識別情報を取得する。この結果、送信基地局チャネル選択装置３０は、受信電界が高い基地局装置１０を介して、移動局装置２０と通信を行うことができる。なお、回線制御装置５０が、異なる基地局装置１０から、所定時間間隔を超えて、移動局識別情報が同一のチャネル関連情報を複数受信した場合には、回線制御装置５０は、チャネル関連情報をそのままエリア登録サーバに出力する。
【００４０】
次に、記憶部４１１が記憶するチャネル関連情報を用いて、送信基地局チャネル選択装置３０が移動局装置２０ａと通信する場合の無線通信システム１１０の処理を説明する。
送信基地局チャネル選択装置３０に移動局装置２０ａと通信するために通信先移動局識別情報が入力されると、送信基地局チャネル選択装置３０の送信基地局チャネル情報取得部３０１は、回線制御装置５０にエリア登録サーバ４０のアドレス情報と、通信先移動局識別情報に対応する移動局識別情報を出力する（ステップＳ２４）。回線制御装置５０がエリア登録サーバ４０のアドレス情報と移動局識別情報を入力すると、回線制御装置５０の回線制御部５０１は、そのアドレス情報に基づいてエリア登録サーバ４０に接続する（ステップＳ２５）。そして、送信基地局チャネル情報取得部３０１は、回線制御装置５０を介して、エリア登録サーバ４０における記憶部４１１のデータテーブルから、入力された移動局識別情報に対応する基地局識別情報と周波数チャネル情報を取得する（ステップＳ２６）。
ここで、送信基地局チャネル情報取得部３０１が送信基地局チャネル情報を回線制御装置５０を介して取得する例を説明する。送信基地局チャネル情報取得部３０１は、エリア登録サーバ４０の記憶部４１１において記憶されたデータテーブルにおける移動局識別情報の項目から通信先移動局識別情報に対応する“移動局装置２０ａ”を検索し、その“移動局装置２０ａ”に関連付けられている基地局識別情報の“基地局装置１０ａ”とチャネル情報の“周波数チャネル３”とを読み取る。そして、送信基地局チャネル情報取得部３０１は、データテーブルから読み取った基地局識別情報と周波数チャネル情報とから成る送信基地局チャネル情報を送信基地局チャネル情報送信部３０２に出力する。
送信基地局チャネル情報送信部３０２は、送信基地局チャネル情報取得部３０１から送信基地局チャネル情報を取得すると、取得した送信基地局チャネル情報と通信先移動局識別情報を回線制御装置５０に出力する（ステップＳ２７）。回線制御装置５０が送信基地局チャネル情報と通信先移動局識別情報を入力すると、回線制御装置５０の回線制御部５０１は、入力された送信基地局チャネル情報に含まれる基地局識別情報に基づいて基地局装置１０ａに接続する（ステップＳ２８）。基地局装置１０ａは、送信基地局チャネル情報に対応する周波数チャネル３で、通信先移動局識別情報に対応する移動局装置２０ａと通信を行う。したがって、通信先移動局識別情報と通信先移動局識別情報に基づいて、回線制御装置５０が基地局装置１０ａと接続し、その基地局装置１０ａが移動局装置２０ａと周波数チャネル３で接続されることにより、送信基地局チャネル選択装置３０は、移動局装置２０ａと通信可能となる。
なお、本実施形態による図５におけるステップＳ１〜ステップＳＳ５、図１５におけるステップＳ６とステップＳ２１〜Ｓ２６、図１６におけるステップＳ２７とＳ２８の処理により送信基地局チャネル選択装置３０と移動局装置２０ａとが回線で接続され、通信が可能となる。
【００４１】
次に、図１７を用いて、基地局装置１０ｂが、受信した同期信号から抽出したチャネル関連情報を、回線制御装置５０を介して、エリア登録サーバに記録し、さらに、基地局装置１０ｂが同期信号に含まれる同期信号識別子に応じて、折り返し信号の送信の要否を決定する処理フローを説明する。
第一の実施形態では、図８に示すステップＳ１８、Ｓ１９ａ、Ｓ１９ｂ、Ｓ２０ａおよびＳ２０ｂを用いて、基地局装置１０ｂが、チャネル関連情報をエリア登録サーバに直接記録する処理フローを説明した。本実施形態では、第一の実施形態の図８に示すＳ１９ａとＳ２０ａの処理の代わりに、図１７に示すステップＳ２９、Ｓ３０およびＳ３１の処理を行って、基地局装置１０ｂが、回線制御装置５０を介して、エリア登録サーバにチャネル関連情報を登録する。なお、本第二の実施形態における図１７に示すステップＳ１８、Ｓ１９ｂ、Ｓ２０ｂの処理は、第一の実施形態における図８の処理と同一であるため説明を省略する。このため、第一の実施形態との差分に対応するステップＳ２９、Ｓ３０およびＳ３１の処理のみを説明する。
チャネル関連情報書き込み部１０１は、同期信号検出部１０２から同期信号を入力すると、通信部１００を介してその同期信号の受信周波数に対応する周波数チャネル情報と基地局識別情報と移動局識別情報とから成るチャネル関連情報と、接続先となるエリア登録サーバ４０のアドレスとを、回線制御装置５０に出力する（ステップＳ２９）。
回線制御装置５０が基地局装置１０ｂからチャネル関連情報と、接続先となるエリア登録サーバ４０のアドレスとを入力すると、回線制御装置５０の回線制御部５０１は、そのアドレス情報に基づいてエリア登録サーバ４０に接続し、接続したエリア登録サーバ４０にチャネル関連情報を出力する（ステップＳ３０）。なお、回線制御装置５０が、基地局装置から、チャネル関連情報または予め決められた信号を受信した際に、接続するエリア登録サーバが予め決まっていれば、基地局装置は、エリア登録サーバのアドレスを送信しなくても良い。
エリア登録サーバ４０が回線制御装置５０からチャネル関連情報を入力すると、エリア登録サーバ４０の制御部４０１は、図４で示したようなデータテーブルとして、入力したチャネル関連情報を記憶部４１１に記録する（ステップＳ３１）。
なお、上述の無線通信システム１１０の処理フローでは、ステップＳ２６で送信基地局チャネル選択装置３０が、回線制御装置５０を介して、エリア登録サーバ４０から送信先の移動局に対応する基地局識別情報と周波数チャネル情報とを読み取り、送信基地局チャネル選択装置３０が、改めてそれらの情報を回線制御装置５０に出力するものとして説明した。しかし、送信基地局チャネル選択装置３０は、接続先である移動局装置２０ａの移動局識別情報に対応する通信先移動局識別情報を回線制御装置５０に出力する。そして、回線制御装置５０の回線制御部５０１は、回線制御装置５０に通信先移動局識別情報が入力されると、エリア登録サーバ４０の記憶部４１１におけるデータテーブルから、通信先移動局識別情報に対応する移動局に関連付けられた基地局識別情報と周波数チャネル情報を取得し、取得した基地局識別情報と周波数チャネル情報に基づいて、送信基地局チャネル選択装置３０と基地局装置１０と移動局装置２０ａとを接続してもよい。また、回線制御装置５０が内部に送信基地局チャネル選択装置３０の機能を有し、回線制御装置５０に通信先移動局識別情報の入力があった場合、回線制御装置５０が、通信先移動識別情報の送信元の装置と、通信先移動識別情報に対応する移動局とを接続するように制御してもよい。なお、通信先移動局識別情報の送信元の装置は、基地局と無線で接続した移動局であってもよいし、回線制御装置５０や基地局装置と有線で接続した装置であってもよい。
【００４２】
以上、本発明の第二の実施形態による無線通信システム１１０の処理フローについて説明したが、第二の実施形態による無線通信システム１１０の処理により、基地局が複数の周波数チャネルを利用して通信を行うことができる場合において、基地局と移動局とが適切な周波数チャネルで速やかに通信することができるという効果が得られる。
【００４３】
なお、本発明の実施形態では、エリア登録サーバ４０にチャネル関連情報を記録する記憶部４１１を備えているものとして説明したが、エリア登録サーバ４０に限定するものではなく、チャネル関連情報を記録する記憶部４１１は、アクセス可能であればどこに存在してもよい。また、回線制御部の機能は、装置同士を適切に接続する範囲において、どの装置が備えていてもよい。
また、本発明の実施形態では、エリア登録サーバ４０の記憶部４１１は、周波数チャネル情報と基地局識別情報と移動局識別情報の３つを含むチャネル関連情報を記録しているものとして無線通信システム１１０を説明した。ただし、エリア登録サーバ４０の記憶部４１１が周波数チャネル情報と移動局識別情報の２つを含むチャネル関連情報を記録していてもよい。その場合、無線通信システム１１０の送信基地局チャネル選択装置３０は全ての基地局装置１０に周波数チャネル情報と移動局識別情報を送信し、各基地局装置１０が受信した周波数チャネル情報に相当する周波数チャネルを用いて、受信した移動局識別情報に対応する移動局装置２０に通信する。このとき、移動局識別情報に対応する移動局装置２０と通信できる基地局装置１０は１つであり、結果として送信基地局チャネル選択装置３０は、接続を希望した移動局識別情報に対応する移動局装置２０と通信可能となる。
【００４４】
なお本発明の実施形態について説明したが、上述の基地局装置１０、移動局装置２０、送信基地局チャネル選択装置３０は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４５】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４６】
１０、１０ａ、１０ｂ、１０ｃ・・・基地局装置
２０、２０ａ、２０ｂ、２０ｃ・・・移動局装置
３０・・・送信基地局チャネル選択装置
４０・・・エリア登録サーバ
５０・・・回線制御装置
１００、２００、３００、４００、５００・・・通信部
１０１・・・チャネル関連情報書き込み部
１０２・・・同期信号検出部
１０３・・・同期信号解析部
１０５・・・同期信号判別部
１０６・・・折り返し信号送信部
１０７、５０１・・・回線制御部
１１０・・・無線通信システム
１１１、２１１、３１１、４１１、５１１・・・記憶部
２０１・・・登録要求信号送信部
２０２・・・周波数チャネル変更検出部
２０３・・・基地局装置変更検出部
２０４・・・時間検出部
２０５・・・移動距離検出部
２０６・・・同期信号識別子付加部
２０７・・・同期信号生成部
２０８・・・音声データ通信同期信号送信部
２０９・・・移動局装置起動検出部
３０１・・・送信基地局チャネル情報取得部
３０２・・・送信基地局チャネル情報送信部
４０１・・・制御部
ＮＷ・・・ネットワーク
【図１】
2014195212.tif 000003
【図２】
2014195212.tif 000004
【図３Ａ】
2014195212.tif 000005
【図３Ｂ】
2014195212.tif 000006
【図３Ｃ】
2014195212.tif 000007
【図３Ｄ】
2014195212.tif 000008
【図４】
2014195212.tif 000009
【図５】
2014195212.tif 000010
【図６】
2014195212.tif 000011
【図７】
2014195212.tif 000012
【図８】
2014195212.tif 000013
【図９】
2014195212.tif 000014
【図１０】
2014195212.tif 000015
【図１１】
2014195212.tif 000016
【図１２】
2014195212.tif 000017
【図１３】
2014195212.tif 000018
【図１４Ａ】
2014195212.tif 000019
【図１４Ｂ】
2014195212.tif 000020
【図１５】
2014195212.tif 000021
【図１６】
2014195212.tif 000022
【図１７】
2014195212.tif 000023